(57)【要約】【課題】複数の異なるアプリケーションの簡易な起動を可能とし、当該起動に係る反応速度の向上及び電力消費の低減化を実現することができる携帯電子機器及び携帯電話機を提供すること。【解決手段】所定方向に自在に回転するように筐体に取り付けられており、当該回転する方向において所定の間隔ごとに複数の指標が設けられている回転ダイヤル部４１と、回転ダイヤル部４１が回転されたとき、複数の指標のうち、当該回転により特定される指標に対応するアプリケーションを決定して実行するメインプロセッサ７０と、決定されるアプリケーションが、特定のアプリケーションの場合に、当該特定のアプリケーションにおける所定の処理を実行するコプロセッサ７１と、を備える。【選択図】図６
2009267857.tif 000002
【特許請求の範囲】
【請求項１】
所定方向に自在に回転するように筐体に取り付けられており、当該回転する方向において所定の間隔ごとに複数の指標が設けられている回転ダイヤル部と、
前記回転ダイヤル部が回転されたとき、前記複数の指標のうち、当該回転により特定される指標に対応するアプリケーションを決定して実行するアプリケーション決定部と、
前記アプリケーション決定部にて決定されるアプリケーションが、特定のアプリケーションの場合に、当該特定のアプリケーションにおける所定の処理を実行するデバイスと、を備え、
前記デバイスを使用する前記特定のアプリケーションは複数存在し、
前記複数の指標のうち、複数の前記特定のアプリケーションに対応する指標が、それぞれ隣同士に前記回転ダイヤル部に設けられている
ことを特徴とする携帯電子機器。
【請求項２】
前記アプリケーション決定部により決定されたアプリケーションが前記特定のアプリケーションであるときに、前記デバイスを動作させるよう制御する制御部を備える
ことを特徴とする請求項１に記載の携帯電子機器。
【請求項３】
前記回転ダイヤル部が回転されたときに基準となる位置から各指標までの距離を回転量として検出する回転量検出部と、
前記回転量検出部により検出される回転量に基づいて、前記アプリケーション決定部が選択するアプリケーションがそれぞれ対応付けられているテーブルが格納されているテーブル格納部と、を備え、
前記テーブル格納部に格納されている前記テーブルは、前記回転ダイヤル部の回転する方向において前記複数の特定のアプリケーション同士が隣になるように各アプリケーションと回転量とがそれぞれ対応付けられている
ことを特徴とする請求項２に記載の携帯電子機器。
【請求項４】
前記制御部は、主電源が投入されるとオペレーションシステムを起動し、
前記オペレーションシステムにより、前記複数のアプリケーションのうち、前記アプリケーション決定部が決定したアプリケーションが動作される
ことを特徴とする請求項３記載の携帯電子機器。
【請求項５】
前記制御部は、前記特定のアプリケーションの一つが実行される状態下で前記回転量検出部により回転が検出され、当該回転に基づいて他の前記特定のアプリケーションが決定されたとき、
前記デバイスが動作される状態を継続する
ことを特徴とする請求項３又は４に記載の携帯電子機器。
【請求項６】
前記デバイスは、符号化されているデータを復号する処理部であり、
前記特定のアプリケーシヨンは、少なくとも、前記処理部を利用して復号された音楽データを再生するアプリケーションと、前記処理部を利用して復号された画像データを再生するアプリケーションに相当する
ことを特徴とする請求項１から５のいずれか一項に記載の携帯電子機器。
【請求項７】
前記複数のアプリケーションにより実行される各種画面を表示する表示部と、通話機能を実行する通信部と、を備え、
前記制御部は、
主電源が投入されると、オペレーションシステムを起動するとともに前記通信部を通信待受け状態にして通信を待ち受ける待受画面を前記表示部に表示し、当該待受画面が表示される状態において前記回転ダイヤル部の回転が検出されると、当該回転に基づいて決定されるアプリケーションに対応する画面を前記待受画面に代えて前記表示部に表示する
ことを特徴とする請求項２から６のいずれか一項に記載の携帯電子機器。
【請求項８】
前記通信部による通信の終了指示を行う終了キーをさらに備え、
前記制御部は、前記特定のアプリケーションに対応する画面を前記表示部に表示している状態において、前記終了キーが操作されると、前記デバイスを停止するとともに前記特定のアプリケーションを終了して、前記表示部の表示を前記特定のアプリケーションに対応する画面から前記所定の待受画面に切り換える
ことを特徴とする請求項７に記載の携帯電子機器。
【発明の詳細な説明】
【技術分野】
【０００１】
本発明は、回転ダイヤル部を有する携帯電子機器に関する。
【背景技術】
【０００２】
携帯電子機器の機能は、通信・通話のみならずテレビやラジオを視聴することもでき多機能化されている。ここで、携帯電子機器においては、テレビ等の他の機能が選択されていない場合には、通信・通話の待受画面がトップ画面として表示され、当該待受画面から所定の操作を行うことにより他の機能を選択するメニュー選択画面に移行し、当該選択メニュー画面においてユーザが所定の操作を行うことにより他の機能の選択を行うことができる。しかし、当該メニュー選択画面には、多数の項目からなる選択メニューが表示されるため、例えば、操作に不慣れなユーザにとっては、このようなメニュー選択画面は使用上の抵抗を感じるものである。
【０００３】
ところで、デジタルカメラにおいては、回転ダイヤルによってメニュー選択を行うものが知られている。この回転ダイヤルには、ムービー機能（動画を記録する機能）や、連写機能（静止画撮影を短時間に複数行う機能）等の撮影作業を補助するメニューが選択可能に割り当てられている（例えば、特許文献１を参照。）。
【０００４】
また、このような回転ダイヤルには、起動する機能に対応する指標（アイコン）が付されている。しかしながら機能の数が多くなるとアイコンが小さくなり、視認性が悪化する問題がある。
【０００５】
また、デジタルカメラにおいて、ダイヤルの回転操作に連動させて、当該ダイヤルに割り当てられているメニューを表示部に表示する技術が提案されている（例えば、特許文献２を参照。）。
【特許文献１】特開２００１−２４５１８９号公報
【特許文献２】特開２００６−１９１３００号公報
【発明の開示】
【発明が解決しようとする課題】
【０００６】
現在、携帯電子機器の一つである携帯電話機においては、デジタルカメラに用いられているような回転ダイヤルによる複数メニューの選択方式は採用されていない。また、携帯電話機には、デジタルカメラにはない特有のアプリケーション（通信・通話機能）が含まれており、また、通信・通話機能以外のアプリケーションを選択し、その後、次のアプリケーションを選択する場合には、通信・通話の待受画面が表示される等の仕様上の相違点も存在する。したがって、特許文献１に示されているような技術を携帯電話機に単に応用しただけでは、携帯電話機の操作上及び使用上不都合を生ずる。
【０００７】
また、特許文献１や特許文献２においては、複数の異なるアプリケーション（例えば、音楽を再生するアプリケーションや、Ｗｅｂページを閲覧する閲覧用アプリケーション等）を回転ダイヤルにより選択して操作するような仕様になっていない。ここで、回転ダイヤルによって複数の異なるアプリケーションを選択して操作する際には、その反応の速度（レスポンス）や電力消費の低減化等を図る必要がある。
【０００８】
本発明では、上述のような課題に鑑みてなされたものであり、その目的の一つは、回転ダイヤル部を備えることにより、複数の異なるアプリケーションの簡易な起動を可能とし、当該起動に係る反応速度の向上及び電力消費の低減化を実現することができる携帯電子機器及び携帯電話機を提供することにある。
【課題を解決するための手段】
【０００９】
本発明に係る携帯電子機器は、上記課題を解決するために、所定方向に自在に回転するように筐体に取り付けられており、当該回転する方向において所定の間隔ごとに複数の指標が設けられている回転ダイヤル部と、前記回転ダイヤル部が回転されたとき、前記複数の指標のうち、当該回転により特定される指標に対応するアプリケーションを決定して実行するアプリケーション決定部と、前記アプリケーション決定部にて決定されるアプリケーションが、特定のアプリケーションの場合に、当該特定のアプリケーションにおける所定の処理を実行するデバイスと、を備え、前記デバイスを使用する前記特定のアプリケーションは複数存在し、前記複数の指標のうち、複数の前記特定のアプリケーションに対応する指標が、それぞれ隣同士に前記回転ダイヤル部に設けられていることを特徴とする。
【００１０】
上記携帯電子機器では、前記アプリケーション決定部により決定されたアプリケーションが前記特定のアプリケーションであるときに、前記デバイスを動作させるよう制御する制御部を備えることが好ましい。
【００１１】
上記携帯電子機器では、前記回転ダイヤル部が回転されたときに基準となる位置から各指標までの距離を回転量として検出する回転量検出部と、前記回転量検出部により検出される回転量に基づいて、前記アプリケーション決定部が選択するアプリケーションがそれぞれ対応付けられているテーブルが格納されているテーブル格納部と、を備え、前記テーブル格納部に格納されている前記テーブルは、前記回転ダイヤル部の回転する方向において前記複数の特定のアプリケーション同士が隣になるように各アプリケーションと回転量とがそれぞれ対応付けられていることが好ましい。
【００１２】
上記携帯電子機器では、前記制御部は、主電源が投入されるとオペレーションシステムを起動し、前記オペレーションシステムにより、前記複数のアプリケーションのうち、前記アプリケーション決定部が決定したアプリケーションが動作されることが好ましい。
【００１３】
上記携帯電子機器では、前記制御部は、前記特定のアプリケーションの一つが実行される状態下で前記回転量検出部により回転が検出され、当該回転に基づいて他の前記特定のアプリケーションが決定されたとき、前記デバイスが動作される状態を継続することが好ましい。
【００１４】
上記携帯電子機器では、前記デバイスは、符号化されているデータを復号する処理部であり、前記特定のアプリケーシヨンは、少なくとも、前記処理部を利用して復号された音楽データを再生するアプリケーションと、前記処理部を利用して復号された画像データを再生するアプリケーションに相当することが好ましい。
【００１５】
上記携帯電子機器では、前記複数のアプリケーションにより実行される各種画面を表示する表示部と、通話機能を実行する通信部と、を備え、前記制御部は、主電源が投入されると、オペレーションシステムを起動するとともに前記通信部を通信待受け状態にして通信を待ち受ける待受画面を前記表示部に表示し、当該待受画面が表示される状態において前記回転ダイヤル部の回転が検出されると、当該回転に基づいて決定されるアプリケーションに対応する画面を前記待受画面に代えて前記表示部に表示することが好ましい。
【００１６】
上記携帯電子機器では、前記通信部による通信の終了指示を行う終了キーをさらに備え、前記制御部は、前記特定のアプリケーションに対応する画面を前記表示部に表示している状態において、前記終了キーが操作されると、前記デバイスを停止するとともに前記特定のアプリケーションを終了して、前記表示部の表示を前記特定のアプリケーションに対応する画面から前記所定の待受画面に切り換えることが好ましい。
【発明の効果】
【００１７】
本発明によれば、複数の異なるアプリケーションの簡易な起動を可能とし、当該起動に係る反応速度の向上及び当該起動に係る電力消費の低減化を実現することができる。
【発明を実施するための最良の形態】
【００１８】
以下、本発明の実施の形態について説明する。図１は、本発明に係る携帯電話機１の外観図を示す。また、図２は、携帯電話機１の閉状態における表示部側筐体部３から見たときの外観図を示す。また、図３は、携帯電話機１の閉状態における操作部側筐体部２から見たときの外観図を示す。また、図４は、回転ダイヤル部付近の拡大図を示す。また、図５は、回転ダイヤル部の機能を示す図である。なお、以下では、携帯電話機について説明するが、本発明はこれに限定されるものではなく、回転ダイヤル部を有するものであり、なおかつ複数のアプリケーションを独立して起動可能であれば良く、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１９】
携帯電話機１は、図１に示すように、操作部側筐体部２と、表示部側筐体部３と、を備えて構成される。操作部側筐体部２は、表面部１０に、操作キー群１１と、携帯電話機１の使用者が通話時に発した音声が入力されるマイク１２と、を備えて構成される。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、ボリュームコントロール等を行うコントロールボタン１６と、から構成されている。
【００２０】
また、表示部側筐体部３は、表面部２０に、各種情報を表示するためのディスプレイ２１と、通話の相手側の音声を出力する音声出力部２２と、を備えて構成されている。
【００２１】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とが互いに開いた状態（開状態）にしたり、操作部側筐体部２と表示部側筐体部３とが折り畳まれた状態（閉状態）にしたりできる。
【００２２】
なお、図１は、いわゆる折り畳み型の携帯電話機１の形態を示しているが、本発明に係る携帯電話機１の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）や、操作部側筐体部２と表示部側筐体部３とが一つの筐体に配置され連結部を有さない型式（ストレートタイプ）等であっても良い。
【００２３】
また、ヒンジ機構４が形成されている位置には、所定方向に自在に回転するように筐体に取り付けられている回転ダイヤル部４１を備えている。なお、回転ダイヤル部４１の操作及び機能については後述する。
【００２４】
また、携帯電話機１は、図２に示すように、表示部側筐体部３のディスプレイ２１が配置されている裏面側には、所定の情報が表示されるサブディスプレイ２３を備えている。
【００２５】
また、携帯電話機１は、図３に示すように、操作部側筐体部２の操作キー群１１が配置されている裏面側には、被写体を撮像するＣＣＤ（Ｃｈａｒｇｅ  Ｃｏｕｐｌｅｄ  Ｄｅｖｉｃｅ）カメラ等により構成される撮像部１７と、一定の光量を出力する発光部１８とを備えている。
【００２６】
ここで、回転ダイヤル部４１の操作及び機能について説明する。回転ダイヤル部４１は、図４に示すように、ヒンジ機構４の回転軸Ｘに沿って、ユーザの指により所定方向（図２中のａ方向（ヒンジ機構４の回転軸と直交する第１の方向）及びｂ方向（ヒンジ機構４の回転軸と直交する第２の方向））に自在に回転するように筐体に取り付けられている。なお、回転ダイヤル部４１は、図４に示すような構成に限定されず、ユーザの操作によって回転自在な構成であれば良く、回転軸（ヒンジ軸）Ｘと直交する方向の軸に沿って所定方向に自在に回転するような構成等であっても良い。
【００２７】
また、回転ダイヤル部４１には、回転方向において所定の間隔ごとに複数の指標（アイコン）Ｉが付されている。なお、指標Ｉは、例えば、図５に示すように、アプリケーションを選択する際の目印になるようなユーザにとって理解しやすいイメージによって描かれている。
【００２８】
ここで、ユーザによる回転ダイヤル部４１の操作について簡略的に説明する。ユーザは、当該指標Ｉを手掛かりとして、所望するアプリケーションに対応する指標Ｉを選択位置（目印）Ｓまで回転させる。携帯電話機１は、選択位置Ｓ（目印）に静止している指標Ｉに対応するアプリケーションを起動させる。このようにして、回転ダイヤル部４１は、物理的な回転ダイヤルの操作により、各種の機能を発揮するメニュー選択を可能とする。
【００２９】
また、携帯電話機１は、具体的には、図５に示すように、回転ダイヤル部４１がユーザの回転操作によって、無操作時（ニュートラル（Ｎ）を示す指標Ｉ１）を基準として、ａ方向に４５°（ｂ方向に３１５°）回転操作され、選択位置Ｓにカメラを示す指標Ｉ２が静止されて一定時間が経過することにより、撮像部１７のカメラ機能を有効にして被写体を撮像可能な状態にする。そして、ａ方向に９０°（ｂ方向に２７０°）回転操作され、選択位置Ｓにメールを示す指標Ｉ３が静止されて一定時間が経過することにより、メール・アプリケーションを起動してメールの閲覧、作成及び送信が可能な状態にする。そして、ａ方向に１３５°（ｂ方向に２２５°）回転操作され、選択位置Ｓにカレンダーを示す指標Ｉ４が静止されて一定時間が経過することにより、カレンダー画像をディスプレイ２１に表示する。また、ａ方向に１８０°（ｂ方向に１８０°）回転操作され、選択位置Ｓにツール（携帯電話機１における音出力等に関する各種の設定を行う機能）を示す指標Ｉ５が静止されて一定時間が経過することにより、ツールメニューをディスプレイ２１に表示する。そして、ａ方向に２２５°（ｂ方向に１３５°）回転操作され、選択位置Ｓにテレビを示す指標Ｉ６が静止されて一定時間が経過することにより、テレビの視聴が行えるアプリケーションを起動する。そして、ａ方向に２７０°（ｂ方向に９０°）回転操作され、選択位置Ｓに画像の再生を示す指標Ｉ７が静止されて一定時間が経過することにより、画像の再生を行うデータフォルダのアプリケーションを起動する。また、ａ方向に３１５°（ｂ方向に４５°）回転操作され、音楽の再生を示す指標Ｉ８が静止されて一定時間が経過することにより、音楽の再生を行うアプリケーションを起動する。
【００３０】
なお、上述した回転ダイヤル部４１の回転量に応じて割り当てられているメニューは一例であって、これに限定されることは無く、例えば、ユーザ自身が頻繁に使用するメニューを登録できる構成であっても良い。また、回転ダイヤル部４１の所定の回転量に所望のＷｅｂアドレスを割り当てておき、当該Ｗｅｂアドレスが選択されることにより、Ｗｅｂブラウザを起動して当該ＷｅｂアドレスのＷｅｂページを閲覧可能にするような構成であっても良い。また、回転ダイヤル部４１に割り当てられるアプリケーションの数も上述した数（７つ）に限定されるものではない。
【００３１】
また、ユーザは、回転ダイヤル部４１を直接操作することにより、一定条件下において、回転ダイヤル部４１に割り当てられている各種機能を直接的に起動させることができる。つまり、メインメニューを経由する必要がなく、簡易に所望するアプリケーションを起動することができる。また、回転ダイヤル部４１によるアプリケーションの選択方法と、従来から用いられているメインメニューを経由する方法とを併用させることにより、ユーザに対してアプリケーションの選択方法について幅を持たせることができ、操作性の向上を図ることができる。
【００３２】
また、本発明では、複数の特定のアプリケーション（例えば、音楽を再生するアプリケーションと、画像を再生するアプリケーション）において所定の処理を実行するデバイスが共用される構成において、一方の特定のアプリケーションの起動に起因して当該デバイスがＯＮ状態になり、そして、一方の特定のアプリケーションが終了し、その後、他方のアプリケーションが起動する場合には、当該デバイスのＯＮ状態をそのまま維持する機能を有している。このような機能を有することにより、当該デバイスのＯＮ状態とＯＦＦ状態とが頻繁に行われる事態を回避し、電力消費を低減させることができる。
【００３３】
ここで、当該機能を発揮するための構成について、図６に示す機能ブロック図を用いて説明する。携帯電話機１は、図６に示すように、各種情報の表示部として閉状態にて外部に露出しないディスプレイ２１と、音声出力を行う音声出力部２２と、各種情報の表示部として閉状態でも外部に露出するサブディスプレイ２３と、ディスプレイ２１とサブディスプレイ２３とを駆動する表示ドライバ２４と、外部に音を出力するスピーカ２５と、を備える。なお、本実施例では、ディスプレイ２１とサブディスプレイ２３とを表示ドライバ２４により駆動する構成としたが、これに限られず、それぞれ専用の表示ドライバにより構成されても良い。
【００３４】
さらに、携帯電話機１は、上述した回転ダイヤル部４１と、通信部６０と、メインプロセッサ７０と、コプロセッサ７１と、所定容量を有する充電池８０と、電源回路部９０と、テーブル１１０を有する記憶部１００と、を備えている。
【００３５】
通信部６０は、所定の使用周波数帯により外部装置と通信を行うメインアンテナ６１と、変調処理又は復調処理等の信号処理を行う通信処理部６２と、を備える。
【００３６】
メインアンテナ６１は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であっても良い。また、メインアンテナ６１は、所定の使用周波数帯の他に、第２の使用周波数帯（例えば、２ＧＨｚ）に対応できる、いわゆるデュアルバンド対応型による構成であっても良いし、さらに、第３の使用周波数帯以上にも対応できる複数バンド対応型により構成されていても良い。
【００３７】
通信処理部６２は、メインアンテナ６１によって受信した信号を復調処理し、処理後の信号をメインプロセッサ７０に供給し、一方、メインプロセッサ７０から供給された信号を変調処理し、メインアンテナ６１を介して外部装置（基地局）に送信する。
【００３８】
電源回路部９０は、充電池８０から供給される電源電圧を所定の電圧に変換し、変換後の電圧を通信部６０やメインプロセッサ７０やコプロセッサ７１等に供給する。
【００３９】
記憶部１００は、メインプロセッサ７０やコプロセッサ７１にて実行される多数のプログラム及びパラメータや各種テーブル等が記憶される。具体的には、記憶部１００は、メインプロセッサ７０にて起動、終了、中断等がなされる多数のアプリケーションプログラムや、これら複数のアプリケーションにて使用されるパラメータや、複数のアプリケーションプログラムを動作させるためのＯＳ（Ｏｐｅｒａｔｉｎｇ  Ｓｙｓｔｅｍ）プログラムの他、検出される回転量と複数のアプリケーションとの対応関係（図５を参照。）、さらには閉状態でも起動可能なアプリケーションで有るか否かを示すテーブル１１０を記憶している。なお、複数のアプリケーションプログラムには、基準アプリケーション、ミュージック・プレーヤー、カメラ、メール等の携帯電話機１が有するアプリケーションごとのアプリケーションプログラムが含まれる。
【００４０】
ここで、メインプロセッサ７０の動作について説明する。メインプロセッサ７０は、汎用的な処理を行う処理部であって、回転ダイヤル部４１から供給される回転量に応じて各種機能に対する起動処理を行う。具体的には、メインプロセッサ７０は、回転ダイヤル部４１の回転量を検出する回転検出部としての機能と、検出された回転量に応じた所定のアプリケーションを起動し、当該起動した所定のアプリケーションに対応する表示画面をディスプレイ２１に表示するように制御する機能を有している。なお、本実施例では、メインプロセッサは、回転検出部の機能として、回転ダイヤル部４１の角度の変化量を回転量として検出しているが、これに限られず、回転ダイヤル部４１の回転に応じた変化を検出できれば良く、例えば、抵抗率の変化等を回転量として検出しても良い。
【００４１】
また、メインプロセッサ７０は、回転ダイヤル部４１の回転が生じる都度、記憶部１００のアプリケーション対応関係のテーブル１１０を参照し、回転量に応じたアプリケーションを特定している。メインプロセッサ７０は、携帯電話機１の主電源がＯＮ状態されると、まずＯＳプログラムを立ち上げ、ＯＳ管理下で基準アプリケーションプログラムを起動することでディスプレイ２１に待受画面を表示するように制御する。その後、メインプロセッサ７０は、起動するアプリケーションが発生する都度、ＯＳ管理下で基準アプリケーションプログラムを終了あるいは中断して新たなアプリケーションプログラムを起動する制御を行う。この処理により、メインプロセッサ７０は、ディスプレイ２１上に、待受画面に代えて新たに起動したアプリケーションに基づく画面を表示させる制御を行う。なお、メインプロセッサ７０は、起動していたアプリケーションプログラムが基準アプリケーションプログラムではなく、他のアプリケーションプログラムであった場合においても同様に、起動していたアプリケーションプログラムを終了して新たなアプリケーションプログラムを起動する。そして、メインプロセッサ７０は、以前のアプリケーションプログラムに基づく画面から新たなアプリケーションプログラムに基づく画面に変更するよう制御する。
【００４２】
このように構成されることにより、本発明では、ユーザは回転ダイヤル部４１による直感的な操作によって簡易に所望するアプリケーションを選択することができる。
【００４３】
また、コプロセッサ７１は、各種デバイスの一であって、専用的な処理（例えば、符号化されているデータの復号処理）を行う。また、コプロセッサ７１は、メインプロセッサ７０の処理負担を軽減するために設けられており、特定のアプリケーションが起動されるときに所定の電力が供給されることにより駆動する。あるいは、メインプロセッサ７０、コプロセッサ７１ともに、電力消費を低減するスリープモードを有していてもよい。
【００４４】
ここで、アプリケーションを起動するに際して、メインプロセッサ７０とコプロセッサ７１とが協調して動作する構成について説明する。
【００４５】
＜第１の構成例＞
メインプロセッサ７０は、回転ダイヤル部４１が回転されたときに基準となる位置から各指標までの距離を回転量として検出する回転検出部としての機能と、回転量が検出されたときに記憶部１００に格納されているテーブル１１０を参照して当該回転量に対応するアプリケーションを決定するアプリケーション決定部としての機能とを有する。また、コプロセッサ７１は、複数の特定のアプリケーション（例えば、音楽データを再生するアプリケーションや、画像データを再生するアプリケーション等に相当する）における所定の処理を実行する。
【００４６】
このような構成によれば、メインプロセッサ７０は、アプリケーション決定部７６により決定されたアプリケーションが特定のアプリケーションであるときにデバイス（コプロセッサ７１）に所定の電力が供給されるように制御する。あるいは、デバイスのスリープモードを解除する。
【００４７】
また、記憶部１００に格納されているテーブル１１０は、回転ダイヤル部４１の回転する方向において特定のアプリケーション同士が隣接するように各アプリケーションと回転量とがそれぞれ対応付けられている。また、回転ダイヤル部４１には、図５に示すように、回転方向において当該特定のアプリケーションを示す指標Ｉ１乃至指標Ｉ８が付されている。
【００４８】
本発明によれば、例えば、音楽の再生を行うアプリケーションを起動した後に、画像を閲覧するためのアプリケーションを選択した場合に、既にデバイス（コプロセッサ７１）は起動状態にあるため、これを継続し、画像を閲覧するアプリケーションを起動した直後に素早く画像の表示が可能となる。また、デバイス（コプロセッサ７１）のＯＮ（非スリープ）状態とＯＦＦ（スリープ）状態とが頻繁に切り替わらないため、電力の増加を回避することができる。また、コプロセッサ７１が動作中は、メインプロセッサ７０は待機（スリープ）状態に移行することができ、消費電力の低減を図ることができる。この場合は、回転ダイヤル部４１の回転が生じると、割り込みによりメインプロセッサ７０のスリープ状態が解除される。
【００４９】
また、メインプロセッサ７０は、主電源が投入されてＯＳ（Ｏｐｅｒａｔｉｎｇ  Ｓｙｓｔｅｍ）を起動した後、回転ダイヤル部４１の回転動作に応じて回転量を検出し、当該回転量に基づいて特定のアプリケーションを決定したとき、基本アプリケーションの機能を利用して特定のアプリケーションを起動する。
【００５０】
このように構成されることにより、本発明に係る特定のアプリケーションは、ＯＳが搭載されていればどのような電子機器にもインストールすることができ、汎用性を有する。
【００５１】
また、メインプロセッサ７０は、特定のアプリケーションが起動されているときに、回転ダイヤル部４１の回転動作に応じて回転量を検出し、当該回転量に基づいて現在起動されている特定のアプリケーションとは異なる特定のアプリケーションを決定したときには、デバイス（コプロセッサ７１に相当する）への電力の供給を継続する。
【００５２】
このように構成されることにより、本発明によれば、例えば、音楽の再生を行うアプリケーションを起動した後に、画像を閲覧するためのアプリケーションを選択した場合に、既にコプロセッサ７１は起動状態にあるためこれを継続し、画像を閲覧するアプリケーションを起動した直後に素早く画像の表示が可能となる。また、コプロセッサ７１のＯＮ（非スリープ）状態とＯＦＦ（スリープ）状態とが頻繁に切り替わらないため、電力の増加を回避することができる。
【００５３】
また、コプロセッサ７１は、一例として、符号化されているデータを復号する処理部である。また、特定のアプリケーションは、少なくとも、コプロセッサ７１を利用して復号された音楽データを再生するアプリケーションや、コプロセッサ７１を利用して復号された画像データを再生するアプリケーションに相当する。
【００５４】
本発明によれば、コプロセッサ７１への電源供給を停止しないので、例えば、音楽データを再生するアプリケーションが選択されていた後に、画像データを再生するアプリケーションが選択された場合に、素早く起動することができる。
【００５５】
また、操作キー群１１は、図１に示すように、通話の終了の指示に利用されると共に、基本アプリケーションの機能を利用してアプリケーションが起動している場合には当該アプリケーションの終了の指示に利用される通話終了ボタン１４ａを備える。なお、通話終了ボタン１４ａは、いわゆるオンフックキーに相当する。
【００５６】
また、メインプロセッサ７０は、主電源が投入されてＯＳを起動した後、所定の待受画面をディスプレイ２１に表示し、回転ダイヤル部４１の回転動作に応じて回転量を検出し、当該回転量に基づいて特定のアプリケーションを決定したとき、当該待受画面に代えて基本アプリケーションの機能を利用して特定のアプリケーションを起動し、デバイス（コプロセッサ７１）への所定の電力の供給を制御する。その後、メインプロセッサ７０は、通話終了ボタン１４ａが押下操作されたときに、特定のアプリケーションを終了し、デバイス（コプロセッサ７１）への所定の電力の供給を遮断した後、所定の待受画面をディスプレイ２１に表示する。
【００５７】
このように構成されることにより、本発明では、特定のアプリケーションが起動しているときには、他の特定のアプリケーションが起動される可能性があるのでコプロセッサ７１の起動状態をＯＮ（非スリープ）状態に維持し続ける。また、通話終了ボタン１４ａの押下操作を確認したときに、コプロセッサ７１をＯＦＦ状態にして所定の待受画面をディスプレイ２１に表示する。したがって、本発明では、特定のアプリケーションの終了と共に一律にコプロセッサ７１をＯＦＦ状態にせず、継続使用される場合にはＯＮ状態を維持するので、コプロセッサ７１の電源管理を適応的に行うことができ、省電力効果を高めることができる。
【００５８】
＜アプリケーションの観点による動作制御の説明＞
また、本発明に係る携帯電話機１により行われるアプリケーションの観点による動作制御について、図７及び図８に示すタイミングチャートを参照しながら説明する。なお、以下では、ユーザによる操作によって、通話・通信の待受状態から、回転ダイヤル部４１の回転操作によって、音楽データを再生するアプリケーション（以下、音楽アプリケーションと言う）が起動され、その後、回転ダイヤル部４１の回転操作によって、データフォルダが選択されて、画像データを再生するアプリケーション（以下、データフォルダアプリケーションと言う）が起動され、その後、通話終了ボタン１４ａが押下操作されて、再び通話・通信の待受状態に戻るまでの動作制御について説明する。
【００５９】
携帯電話機１では、主電源が投入されてから、他のアプリケーションが選択されていない場合には、ＯＳは、通話・通信の待受状態を管理するアプリケーション（以下、待受アプリと言う）に対して起動することを通知する（ステップＳ１）。当該通知より、ディスプレイ２１には、所定の待受画面が表示される。
【００６０】
そして、回転ダイヤル部４１による回転動作に起因して各種の動作を管理するアプリケーション（以下、ダイヤルアプリと言う）は、回転ダイヤル部４１の回転動作を所定のタイミングで確認する（ステップＳ２）。そして、回転ダイヤル部４１の回転動作を検出した場合には（ステップＳ３）、回転量に基づいて起動するアプリケーション（本実施例では、音楽アプリケーション）を決定する（ステップＳ４）。
【００６１】
ダイヤルアプリは、ＯＳに音楽アプリケーションを起動することを通知する（ステップＳ５）。ＯＳは、待受アプリに対して待受画面の表示を終了することを通知する（ステップＳ６）。待受アプリは、ＯＳに確認信号（Ａｃｋ信号）を通知する（ステップＳ７）。
【００６２】
つぎに、ＯＳは、音楽アプリに対して起動することを通知する（ステップＳ８）。音楽アプリは、当該通知に応じてディスプレイ２１に所定のミュージック・プレーヤーの操作画面を表示する（ステップＳ９）。また、ユーザにより操作キー群１１が所定の操作（例えば、所望する音楽データを再生するための操作）が行われたときに（ステップＳ１０）、ＯＳに対して再生指示が行われる（ステップＳ１１）。
【００６３】
ＯＳは、音楽アプリに対して再生することを通知する（ステップＳ１２）。音楽アプリは、ＯＳの通知にしたがって音楽データの再生処理を開始し（ステップＳ１３）、コプロセッサ７１の起動を行う（ステップＳ１４）。コプロセッサ７１は、音楽アプリに確認信号（Ａｃｋ信号）を通知する（ステップＳ１５）。また、音楽アプリは、ＯＳに確認信号（Ａｃｋ信号）を通知する（ステップＳ１６）。具体的には、メインプロセッサ７０は、電源回路部９０を制御してコプロセッサ７１に電源の供給を行うことによりコプロセッサ７１の起動を行う。
【００６４】
コプロセッサ７１は、符号化されている音楽データに対して所定の復号処理を行う（ステップＳ１７）。コプロセッサ７１により復号処理された音楽データは、音楽としてスピーカ２５を介して外部に出力される。
【００６５】
また、ダイヤルアプリは、回転ダイヤル部４１の回転動作を検出した場合には（ステップＳ１８）、回転量に基づいて起動するアプリケーション（本実施例では、データフォルダアプリケーション）を決定する（ステップＳ１９）。
【００６６】
ダイヤルアプリは、ＯＳにデータフォルダ（画像再生）アプリケーションを起動することを通知する（ステップＳ２０）。ＯＳは、音楽アプリに終了することを通知する（ステップＳ２１）。音楽アプリは、ＯＳに確認信号（Ａｃｋ信号）を通知する（ステップＳ２２）。なお、音楽アプリの次に起動するアプリケーションがデータフォルダアプリケーションであるよう、互いの指標Ｉ８と指標Ｉ７は図５に示すように隣同士に設けられているため、この間のダイヤル回転の場合にはコプロセッサ７１の起動状態が継続される。
【００６７】
ＯＳは、図８に示すように、データフォルダアプリケーションに起動することを通知する（ステップＳ２３）。データフォルダアプリケーションは、ディスプレイ２１に画像を表示するための画面を表示する（ステップＳ２４）。また、ユーザは、操作キー群１１により所定の操作（例えば、所望する画像データを再生するための操作）を行う（ステップＳ２５）。ＯＳは、当該操作に応じて再生指示を受け付ける（ステップＳ２６）。
【００６８】
ＯＳは、データフォルダアプリケーションに再生指示を行う（ステップＳ２７）。データフォルダアプリケーションは、ＯＳの指示にしたがって、画像データの再生処理を開始する（ステップＳ２８）。なお、コプロセッサ７１は起動状態にあるため、コプロセッサ７１に対する起動処理は不要となり、この間のデータの指定やデコード処理等の説明は省略する。
【００６９】
また、ユーザにより通話終了ボタン１４ａの押下操作がされたとき、すなわちオンフックキーが操作されたときに（ステップＳ２９）、その旨の通知がＯＳに発せられる（ステップＳ３０）。ＯＳは、通話終了ボタン１４ａの操作の通知を受けたときに、現在起動しているアプリケーションを確認する（ステップＳ３１）。本実施例では、ＯＳは、データフォルダアプリケーションが起動していることを確認する。
【００７０】
ＯＳは、データフォルダアプリケーションに対して終了することを通知する（ステップＳ３２）。データフォルダアプリケーションは、コプロセッサ７１に対して終了することを通知する（ステップＳ３３）。コプロセッサ７１は、当該終了する旨の通知を受け取ったことを確認する信号（Ａｃｋ信号）をデータフォルダアプリケーションに通知する（ステップＳ３４）。データフォルダアプリケーションは、ＯＳに確認信号（Ａｃｋ信号）を通知する（ステップＳ３５）。
【００７１】
ＯＳは、待受アプリに対して起動することを通知する（ステップＳ３６）。当該通知により、ディスプレイ２１には、所定の待受画面が表示される。待受アプリは、ＯＳに確認信号（Ａｃｋ信号）を通知する（ステップＳ３７）。
【００７２】
このようにして、本発明では、複数の異なるアプリケーションの簡易な起動を可能とし、当該起動に係る反応速度の向上及び当該起動に係る電力消費の低減化を実現することができる。
【００７３】
また、本発明によれば、以下に示す効果も奏し得る。本発明の実施形態によれば、一定の回転量が一定時間継続しなければアプリケーションを起動しないため、ユーザが癖で何度も回転させる場合等に、毎回アプリケーションを起動せずに済むため、無駄な電力消費が発生しない。また、回転ダイヤル部４１の回転が僅かでも検出されて直ぐにアプリケーションを立ち上げる場合において、ユーザはニュートラル位置から１８０°に位置するアプリケーションを立ち上げることを希望しているにもかかわらず、４５°、９０°というように途中で経由するアプリケーションを全て、起動、終了を繰り返さなければならないこととなってしまう問題が考えられる。しかし、本実施例においては、一定の回転量が一定時間継続しなければアプリケーションを起動しない構成としたため、１８０°の位置まですばやく回転させれば途中で経由するアプリケーションを起動することがない、さらには、これらのアプリケーションに対応するデバイスの起動力もなくすことができるため、電力消費を低減することができる。
【００７４】
なお、本実施形態において、回転ダイヤル部４１の回転量に基づいて、起動すべきアプリケーションを特定する例を示したが、これに限定されるものではない。すなわち、いかなる回転状態かさえ判定できれば良く、変動量を検出する他に、例えば、最終的な回転位置だけを検出するような構成であっても良い。そして、テーブル１１０にて最終的な回転位置にそれぞれアプリケーションを対応付けて記憶しておけば、これを参照することにより、特定された位置に応じたアプリケーションを起動するように構成することもできる。
【００７５】
さらには、回転が生じてから最終的な回転位置に至るまでの時間の計測を行うことで、速い回転であるか、遅い回転であるかを判別できるように構成し、これに応じて起動するアプリケーションを変化させるように構成しても良い。この場合、テーブル１１０に回転時間ごとの起動するアプリケーションを対応付けて記億しておき、回転が生じてから回転が停止されるまでの時間をテーブル参照することで、例えば、同じ位置までの回転であっても回転速度の相違によって異なるアプリケーションを起動できるようにすることも可能である。
【図面の簡単な説明】
【００７６】
【図１】本発明に係る携帯電話機の外観を示す図である。
【図２】携帯電話機の閉状態における表示部側筐体部から見たときの外観を示す図である。
【図３】携帯電話機の閉状態における操作部側筐体部から見たときの外観を示す図である。
【図４】回転ダイヤル部付近を拡大したときの図である。
【図５】回転ダイヤル部の機能についての説明に供する図である。
【図６】携帯電話機の機能を示す機能ブロック図である。
【図７】本発明に係る携帯電話機により行われる動作制御についての説明に供する第１のタイミングチャートである。
【図８】本発明に係る携帯電話機により行われる動作制御についての説明に供する第２のタイミングチャートである。
【符号の説明】
【００７７】
１  携帯電話機
２  操作部側筐体部
３  表示部側筐体部
４  ヒンジ機構
４１  回転ダイヤル部
７０  メインプロセッサ（回転量検出部、アプリケーション決定部、制御部）
７１  コプロセッサ（デバイス）
９０  電源回路部
１１０  テーブル
１００  記憶部（テーブル格納部）
【図１】
2009267857.tif 000003
【図２】
2009267857.tif 000004
【図３】
2009267857.tif 000005
【図４】
2009267857.tif 000006
【図５】
2009267857.tif 000007
【図６】
2009267857.tif 000008
【図７】
2009267857.tif 000009
【図８】
2009267857.tif 000010